(57)【要約】      （修正有）【課題】宅配水ミネラルウォーターでは、ボトルを持ち上げ、注ぎ口を下側にして、サーバーの上部にセットする必要があるが、手軽に、かつ、安全にセットすることを可能とする装置を提供する。【解決手段】ウォーターサーバー１００の上部にボトル２００を上下反転して設置するボトル設置装置であり、基台、前記基台より上方に向けて設置した縦方向支持部材、前記縦方向支持部材の上部より横方向に延びる横方向支持部材、前記縦方向支持部材、および、前記横方向支持部材に設置された複数の車輪、前記車輪により動かされる可撓性を有する移動部材、前記可撓性部材に取り付けた取り外し可能なボトル保持部材を備えてボトル設置装置。【選択図】図５
2020142828.tif 000002
【特許請求の範囲】
【請求項１】
基台、前記基台より略上方に向けて設置した縦方向支持部材、前記縦方向支持部材の上部より略横方向に延びる横方向支持部材、前記縦方向支持部材、および、前記横方向支持部材に設置された複数の車輪、前記車輪により動かされる可撓性を有する移動部材、前記可撓性部材に取り付けた取り外し可能なボトル保持部材を備えるウォーターサーバーの上部にボトルを設置するボトル設置装置。
【請求項２】
前記縦方向支持部材と、前記横方向支持部材が単一の部材である請求項１に記載のボトル設置装置
【請求項３】
前記可撓性を有する移動部材はチェーンであり、前記車輪は前記チェーンに勘合する歯車型である請求項１または２に記載のボトル設置装置
【発明の詳細な説明】
【技術分野】
【０００１】
本発明は、宅配ミネラルウオォターサーバーへボトルを設置する装置に関する。
【背景技術】
【０００２】
発明者は、ミネラルウォーターサーバー（以後、サーバーと記す。）の草分け頭初より、サーバーの生産に携わってきた。このたび、その経験を基に宅配水ミネラルウォーター供給上の問題点を指摘し、その解決策として今回の発明を行った。サーバーには、サーバーの本体の上部にタンクは配置するタイプと、サーバー本体の下部（内部）に配置するタイプの２つの形式がある。今回の発明は、図１に示すようなサーバーの上部にボトルを運び、設置する装置に関する。この問題の解決策の一つとして、特開２００９−１２８２１号公報に開示された技術があるが、実用性の上からは課題も多い。
【先行技術文献】
【特許文献】
【０００３】
【特許文献１】特開２００９−１２８２１号公報
【発明の概要】
【発明が解決しようとする課題】
【０００４】
今回の発明は、サーバーの上部にボトルを運び、設置する装置に関する。宅配水ミネラルウォーターでは、現在、普及しているボトルの大きさは７〜１２リットルが主である。一方、欧米では、その２倍の大きさの１６リットルのボトルが用いられている。水は1リットルが１ｋｇであり、１２リットルのボトルは１２ｋｇにもなる。このボトルを持ち上げ、注ぎ口を下側にして、サーバーの上部にセットする必要があるが、非力な人、特に高齢者にとっては困難な作業であり、腰痛などの原因にもなる危険性がある。また、セットをする時に転倒するなどの事故も危惧される。
【課題を解決するための手段】
【０００５】
上記の課題を解決する第１の発明は、ウォーターサーバーの上部にボトルを設置するボトル設置装置であり、基台、前記基台より上方に向けて設置した縦方向支持部材、前記縦方向支持部材の上部より横方向に延びる横方向支持部材、前記縦方向支持部材、および、前記横方向支持部材に設置された複数の車輪、前記車輪により動かされる可撓性を有する移動部材(以後可撓性部材と記す。)、前記可撓性部材に取り付けた取り外し可能なボトル保持部材を備えたボトル設置装置。
第２の発明は、第１の発明において、前記縦方向支持部材と前記横方向支持部材が単一の部材であるボトル設置装置。
第３の発明は、第1、または、第２の発明において、前記可撓性部材はチェーンであり、前記車輪は前記チェーンに勘合する歯車型であるボトル設置装置。
【発明の効果】
【０００６】
本発明の装置を用いることにより、手軽に、かつ、安全に、注ぎ口を下側にして、ボトルをサーバーの上部にセットすることが可能になる。
【図面の簡単な説明】
【０００７】
【図１】本発明の対象となるサーバーの概略図である。
【図２】本発明の対象となるボトルを保管する保管庫の概略図である。
【図３】本発明の実施例１を示す概略図である。
【図４】本発明の実施例１の他の態様を示す概略図である
【図５】本発明の実施例１にボトルをセットした図である。
【図６】本発明の実施例１にボトルをセットし、サーバーの上にボトルをセットする直前の状態を示す概略図である。
【図７】本発明の実施例２を示す概略図である。
【図８】本発明の実施例３を示す概略図である。
【発明を実施するための形態】
【０００８】
図１に現在、一般的に使用されているサーバー１００の概略図を示す。この図に示すように、サーバー１００の上部に、ボトル２００を注ぎ口を下向きにして置く形が一般的である。ボトル２００は図２に示すように、注ぎ口を上にして保管されているため、使用者は１ｍ以上の高さのあるサーバー１００の上部に、ボトル２００を持ち上げ、上下を反転させて、サーバー１００の上部にセットする必要がある。なお、現在、日本には、ハードボトル（再使用をする）と、ソフトボトル（ワンウェー）があるが、本発明はいずれのボトルも対象としている。
【０００９】
図２はボトル保管庫３００の一例である。ボトル２００は、図示するように注ぎ口を上向きむきにして保管される。なお、２本のボトルを保管するもの（２本のボトルを縦置き、または、横置きする。）、および、３本のボトルを縦置きにして保管するタイプも普及している。
【実施例１】
【００１０】
図３に本発明のボトル設置装置１の第１の実施例を示す。基台２、前記基台２より上方向に向かって設置された縦方向支持部材３、前記縦方向支持部材３の頂部より横方向（やや斜め上方に向かっている場合も含む）に延びる横方向支持部材４、前記縦方向支持部材３の基台近傍に設置した第１車輪５、前記横方向支持部材４と前期縦方向支持部材３との境目近傍の外側に設置した第２車輪６、前記横方向支持部材４の先端部近傍に設置した第３車輪７、第２車輪６に近接し、前記横方向支持部材４と前期縦方向支持部材３との境目近傍の内側に設置した第４車輪８、前記第1車輪５〜前記第４車輪８にかけた可撓性部材９、前記可撓性部材９に取り付けるボトル保持部材１０よりなる。なお、前記縦方向支持部材３と前期横方向支持部材４は別々の部材とすること、または、一体の部材（Ｌ字型を１８０°回転させた形）としても良い。
【００１１】
前期ボトル保持部材１０は、可撓性部材９に設置した固定部材１１に固定する。前期固定部材１１は可撓性部材９が湾曲する場合にも、前記可撓性部材９と前期ボトル保持部材１０を無理なく固定できる形式(例えばバネ構造を有する構造)とする。また、前記固定部材１１は前記可撓性部材９より前記ボトル保持部材１０を容易に脱着できる機能を有する構造とする。また、前記ボトル保持部材１０には、必要に応じて、ボトル２００を前記ボトル保持部材１０に固定する固定具１２を備える。前期可撓性部材９には、チェーン、鎖状部材、ベルト状部材１３、鎖状部材、ワイヤー、鋼索等が使用できる。可撓性部材９は電動、または手動（モーター、手動用ハンドル等は、図示していない。）により前記第１車輪５〜前記第４車輪８により動かす。前記第１車輪５〜前記第４車輪８は、チェーン等を介して動力を伝達する形式であってもよい。１４は移動用の車輪である。
【００１２】
前記可撓性部材９の素材、形状、幅、太さは、強度を考慮して決定する。並列に複数配置しても良い。特に前記チェーンを使用する場合は、２本のチェーンを使用し、その２本のチェーンの間に横部材をわたし、前記横部材に前記固定部材１１、または/および前記ボトル保持部材１０をつける方法が実用的であり、前記固定部材１１、または/および前記ボトル保持部材１０、前記横部材より取り外しが自由にできる形式とする。
【実施例２】
【００１３】
可撓性部材９としては、ベルト状部材１３、鎖状部材、ワイヤー、鋼索等が使用可能である。ベルト状部材１３を使用した１例を図４に示す。この例では、片面（内側）に凹凸を付けたベルト状部材１３を用いており、一例とした車輪７にはベルト状部材１３の凹凸に対応する凹凸をつけ、両者が互いに滑らないようにしている。もちろん、他の車輪もこのような構造にしてもよい。ベルト状部材１３は、このような特殊なベルトに限定するものではなく、摩擦力が十分であれば、平な表面であってもよく、粗面加工がされていても良い。
【００１４】
第１車輪５〜第４車輪８の回転方向は可逆である。図５においては、ボトル２００は、保管庫（図２）から出され、または、配達されてから、サーバー１００に載せるために、ボトル設置装置１のボトル保持部材１０に載せられた状態である。この図においては、第１車輪５〜第３車輪７は、反時計回りに回転し（第４車輪は時計周り）、ボトル保持部材１０に保持されたボトル２００は、可撓性部材９の移動により、上方向に運ばれる。なお、必要に応じて、ボトル２００は、ベルト等の固定手段により、ボトル２００を固定具１２により、ボトル保持部材１０に固定する。
【００１５】
図６は、図５の次の状態を示している。ボトル１００は、ボトル保持部材１０に保持され、可撓性部材９の動きにより上方向に持ち上げられ、縦方向支持部材３の頂部に達し、第２車輪６の位置でこの図における右方向（斜め右方向も含む）に移動方向を変えられ、さらに、横方向支持部材４の右端に設置してある第３車輪７の位置において、下向きに方向転換され、サーバー１００の上部に位置する状態になり、動きを止める。動きを止めるタイミングは可撓性部材９の動きが電動、手動のいずれ場合においても、自動(センサーによる)停止、または手動停止が可能である。
【００１６】
その後、ボトル２００をボトル保持部材１０からの固定状態を解除して、サーバー１００上にボトル２００を供給口に下向きにして置く。その後、第１車輪５〜第４車輪８を逆転させ、ボトル保持部材１０を図５の位置にまで戻す。なお、第１車輪５〜第４車輪８の回転方向を図示した方向（この図においては、反時計回りに回り、可撓性部材９を周回させる）の一方向回転のみにすることも可能である。一方向回転とする場合は、サーバー１００の上部に位置する状態になり、動きを止めた状態でボトル２００をサーバー１００に置いた後に、ボトル保持部材１０を可撓性部材９から取り外し、図５に示した位置に着た後に再度セットする。
【実施例３】
【００１７】
図７は、実施例３である。横方向支持部材４の先端部に第３車輪７に加えて、さらに第３１車輪７１を備えた例である。このようにすることで、横方向支持部材４の先端部で、ボトル保持部材１０、およびボトル２００の直線的な下方向への移送が容易になり、ボトル２００のサーバー１００への設置が容易になる。
【実施例４】
【００１８】
図８は、実施例４である。可撓性部材９をエンドレス形状（リング状）とせず、１本状態とした例である。可撓性部材９は第１車輪５から第３車輪７の間にあり、ボトル２００をサーバー１００の上にセットする場合は、第１車輪５で巻きほぐし、第３車輪７の巻き取りを行い可撓性部材９を上方に動かし、ボトル保持部材１０に保持されたボトル２００は、縦方向支持部材にそって、上方向に運ばれる。さらに、第２車輪６の位置で（この図における右方向に）移動方向を変えられ、さらに、横方向支持部材４の右端に設置してある第３車輪７の位置において下向きに方向転換され、サーバー１００の上部に位置する状態になり、動きを止める。その後、ボトル２００をボトル保持部材１０からの固定状態を解除して、ウォーターサーバー１００の上にボトル２００を供給口に下向きに置き、その後、第１車輪５〜第３車輪７を逆転（時計回り）させ、第１車輪５で可撓性部材９により巻き取りと、第３車輪７による可撓性部材９の巻きほぐしを行い、ボトル保持部材１０を図３に示す位置（基台近傍）にまで戻す。
【産業上の利用可能性】
【００１９】
本発明は新たなミネラルウオーター関連産業の拡大に有効である。
【符号の説明】
【００２０】
１  ボトル設置装置
２  ボトル設置装置の基台
３  ボトル設置装置の縦方向支持部材
４  ボトル設置装置の横方向支持部材
５  第１車輪
６  第２車輪
７  第３車輪
７１  第３１車輪
８  第４車輪
９  可撓性部材
１０  ボトル保持部材
１１  固定部材
１２  固定具
１３  ベルト状部材      
１４  移動用の車輪
１００  ウォーターサーバー（サーバー）
２００  ボトル
３００  保管庫
【図１】
2020142828.tif 000003
【図２】
2020142828.tif 000004
【図３】
2020142828.tif 000005
【図４】
2020142828.tif 000006
【図５】
2020142828.tif 000007
【図６】
2020142828.tif 000008
【図７】
2020142828.tif 000009
【図８】
2020142828.tif 000010